(57)【特許請求の範囲】
【請求項１】
載置された原稿の画像を読み取る読取部と、
前記読取部の上方を覆う開閉可能なカバーと、
前記カバーの一側端を回動可能に軸支する支持体と、
前記支持体を前記読取部に対して上下動可能に保持するガイドと、
前記支持体または前記ガイドの一方に揺動可能に設けられ、前記支持体を前記ガイドに対して位置決めする位置決め部材と、を備え、
前記位置決め部材は、
前記位置決め部材の揺動中心から延出し、前記支持体が前記ガイド内を上方から下方へ向けて移動したときに、前記支持体または前記ガイドの他方に当接することで揺動する第１アームと、
前記揺動中心から延出し、前記第１アームが前記支持体または前記ガイドの他方と当接して揺動するのに連動して揺動し、前記支持体または前記ガイドの他方を押圧することで、前記支持体を前記ガイドに押し付ける第２アームと、を有していることを特徴とする画像読取装置。
【請求項２】
前記位置決め部材は、前記ガイドに備えられていることを特徴とする請求項１に記載の画像読取装置。
【請求項３】
前記ガイドは、一対の側壁を備え、
前記位置決め部材は、前記支持体を前記一対の側壁の一方側に押し付けることで、前記支持体を位置決めしていることを特徴とする請求項１または請求項２に記載の画像読取装置。
【請求項４】
前記一対の側壁の他方には、前記支持体と対向する面に複数のリブを有し、
前記第２アームは、前記第１アームが前記支持体または前記ガイドと当接していないときには、前記リブの先端よりも退避している退避位置に位置していることを特徴とする請求項３に記載の画像読取装置。
【請求項５】
前記複数のリブは、それぞれ上下方向に延びていることを特徴とする請求項４に記載の画像読取装置。
【請求項６】
前記位置決め部材に設けられ、前記第２アームを前記退避位置に向けて付勢するように前記位置決め部材を付勢する弾性部材をさらに備えていることを特徴とする請求項４または請求項５に記載の画像読取装置。
【請求項７】
前記カバーは、前記読取部に原稿を搬送する自動原稿搬送装置を備えていることを特徴とする請求項１から請求項６のいずれか１項に記載の画像読取装置。
【請求項８】
請求項１から請求項７のいずれか１項に記載の画像読取装置を備えていることを特徴とする画像形成装置。
【発明の詳細な説明】
【技術分野】
【０００１】
本発明は、原稿の画像を読み取る画像読取装置と、当該画像読取装置を備えた画像形成装置に関する。
【背景技術】
【０００２】
一般に、原稿の画像を読み取る画像読取装置や、画像読取装置が組み込まれた複写機やファクシミリ装置、複合機等が知られている。画像読取装置は、原稿が載置されるガラス板と、ガラス板の下方に設けられるイメージセンサと、ガラス板の上方を覆うカバーとを備えており、ガラス板上に載置された原稿を、ガラス板とカバーで挟み、イメージセンサによりガラス板を通して原稿の画像を読み取っている。このように構成された画像読取装置では、カバーとガラス板で原稿を挟んでいるので、読取中に原稿がずれるのを防止したり、読み取りの光を遮ったりすることができるようになっている。
【０００３】
そして、従来、本などの厚みがある原稿を読み取るために、カバーをガラス板に対して上下動可能に構成し、厚みのある原稿に対しても、原稿を位置ずれしないようにガラス板とカバーで挟むことができる画像読取装置が知られている（例えば、特許文献１参照）。具体的に、この画像読取装置では、カバーを開閉可能に支持するヒンジ手段と、ヒンジ手段を上下動可能に保持する収容部とを備えている。そして、ヒンジ手段は、収容部の下方に配置されているとき、収容部に設けられている板バネ体と係合している。これにより、ヒンジ手段が収容部内でがたつかないようになっている。
【先行技術文献】
【特許文献】
【０００４】
【特許文献１】特開２０１０−２８４６８号公報
【発明の概要】
【発明が解決しようとする課題】
【０００５】
しかしながら、前述した技術のように、ヒンジ手段が板バネ体と係合していると、ヒンジ手段が板バネ体から受ける押圧力が、カバーを上下動するときの抵抗となり、ユーザの操作性が悪かった。
【０００６】
そこで、本発明は、ユーザが操作しやすいカバーを備えた画像読取装置および当該画像読取装置を備えた画像形成装置を提供することを目的とする。
【課題を解決するための手段】
【０００７】
前記した目的を達成するため、本発明の画像読取装置は、載置された原稿の画像を読み取る読取部と、読取部の上方を覆う開閉可能なカバーと、カバーの一側端を回動可能に軸支する支持体と、支持体を読取部に対して上下動可能に保持するガイドと、位置決め部材と、を備えている。
位置決め部材は、支持体またはガイドの一方に揺動可能に設けられ、支持体をガイドに対して位置決めする部材である。
そして、位置決め部材は、位置決め部材の揺動中心から延出し、支持体がガイド内を上方から下方へ向けて移動したときに、支持体またはガイドの他方に当接することで揺動する第１アームと、前記揺動中心から延出し、第１アームが支持体またはガイドの他方と当接して揺動するのに連動して揺動し、支持体またはガイドの他方を押圧することで、支持体をガイドに押し付ける第２アームと、を有していることを特徴とする。
【０００８】
このように構成された画像読取装置によれば、カバーを開閉するときには、第２アームによって支持体がガイドに押し付けられているので、支持体ががたつかず、ユーザがカバーを操作しやすい。そして、支持体がガイドに対して上下動するときには、第２アームによって支持体が押圧されないので、支持体の動作に対して抵抗がなく、ユーザがカバーを操作しやすい。
【０００９】
そして、前記した画像読取装置において、位置決め部材は、ガイドに備えられているのが望ましい。
【００１０】
このように構成された画像読取装置によれば、位置決め部材を支持体に備える構成に比べて、構成を簡単にすることができる。
【００１１】
また、前記した画像読取装置において、ガイドは、一対の側壁を備え、位置決め部材は、支持体を一対の側壁の一方側に押し付けることで、支持体を位置決めしている構成とすることができる
【００１２】
そして、前記したガイドが一対の側壁を備える画像読取装置において、一対の側壁の他方には、支持体と対向する面に複数のリブを有し、第２アームは、第１アームが支持体またはガイドと当接していないときには、リブの先端よりも退避している退避位置に位置していることが望ましい。
【００１３】
このように構成された画像読取装置によれば、支持体を上下動するときに、支持体を案内するリブが確実に機能することができる。
【００１４】
また、前記した複数のリブは、それぞれ上下方向に延びていることが望ましい。
このように構成されることにより、支持体が上下動するときに、リブに引っ掛からないので、支持体をスムーズに動かすことができる。
【００１５】
そして、前記した複数のリブを有する画像読取装置は、位置決め部材に設けられ、第２アームを退避位置に向けて付勢するように位置決め部材を付勢する弾性部材をさらに備えているのが望ましい。
【００１６】
このように構成された画像読取装置によれば、第２アームを確実に退避位置に退避させることができる。
【００１７】
また、前記した画像読取装置において、カバーは、読取部に原稿を搬送する自動原稿搬送装置を備えていてもよい。
【００１８】
このように構成された画像読取装置によれば、位置決め部材により支持体がガイドに対して位置決めされることで、読取部に対してカバーの位置決めができるので、自動原稿搬送装置で原稿を搬送して読み取るときに、読取部と自動原稿搬送装置とのずれを抑制することができる。
【００１９】
また、前記した目的を達成するための本発明は、前記した画像読取装置を備えていることを特徴とする画像形成装置である。
【発明の効果】
【００２０】
本発明によれば、ガイド内で支持体が最も下に位置するときは、支持体がガイドに押し付けられるので、カバーを開閉させたとしても、がたつくことがない。また、支持体を上下動させるときには、支持体がガイドに押し付けられないのでスムーズに動かすことができ、ユーザが操作しやすい。
【図面の簡単な説明】
【００２１】
【図１】本発明の一実施形態に係る画像読取装置を備えたカラー複合機の概略構成を示す断面図である。
【図２】画像読取装置を示す斜視図である。
【図３】画像読取装置の載置トレイを開いた状態を示す斜視図である。
【図４】画像読取装置の後側を示す斜視図である。
【図５】画像読取装置のカバーを開いた状態を示す斜視図である。
【図６】図４のＸ−Ｘ断面図であって、ヒンジが上方に位置する状態を示す図（ａ）と、ヒンジが下方に位置する状態を示す図（ｂ）である。
【図７】ヒンジ周辺を上方から見た図である。
【図８】第１の変形例に係るヒンジ周辺を示す断面図である。
【図９】第２の変形例に係るヒンジ周辺を示す断面図である。
【発明を実施するための形態】
【００２２】
＜カラー複合機の全体構成＞
次に、本発明の一実施形態について、適宜図面を参照しながら詳細に説明する。なお、以下の説明においては、まず、画像形成装置の一例としてのカラー複合機１の全体構成を説明した後、本発明の特徴部分である画像読取装置３を詳細に説明することとする。
【００２３】
以下の説明において、方向は、カラー複合機使用時のユーザを基準にした方向で説明する。すなわち、図１において、紙面に向かって右側を「前側（手前側）」、紙面に向かって左側を「後側（奥側）」とし、紙面に向かって奥側を「右側」、紙面に向かって手前側を「左側」とする。また、紙面に向かって上下方向を「上下方向」とする。
【００２４】
図１に示すように、カラー複合機１は、本体ケース２と、本体ケース２の上方に設けられた画像読取装置３とを主に備えている。また、カラー複合機１は、本体ケース２内に、用紙Ｐを供給する給紙部４と、供給された用紙Ｐに画像を形成する画像形成部５とを主に備えている。
【００２５】
本体ケース２の上部には、本体ケース２内から排出された用紙Ｐが載置される排紙トレイ２２が設けられている。
【００２６】
画像読取装置３は、排紙トレイ２２の上方に空間Ｓを介して設けられている。この画像読取装置３は、複写などの際に、セットされた原稿に光を照射して画像を読み取ることで画像データを生成する。なお、画像読取装置３の詳細な構成については後述する。
【００２７】
給紙部４は、本体ケース２内の下部に設けられ、本体ケース２に着脱可能に装着される給紙カセット４１と、給紙カセット４１の後部上方に設けられたピックアップローラ４２と、分離ローラ４３と、給紙ローラ４４，４５とを主に備えている。給紙カセット４１内の用紙Ｐは、ピックアップローラ４２で送り出され、分離ローラ４３で一枚ずつ分離されて給紙ローラ４４，４５で上方へ送られ、画像形成部５（中間転写ベルト９１と２次転写ローラ９３の間）に供給される。
【００２８】
画像形成部５は、露光ユニット６と、感光体ユニット７と、現像器ユニット８と、ベルトユニット９と、定着ユニット１０とから主に構成されている。
【００２９】
露光ユニット６は、給紙部４の上方に配置され、図示はしないが、公知のレーザ発光部、ポリゴンミラー、複数のレンズ、複数の反射鏡などを備えている。露光ユニット６では、イエロー、シアン、マゼンタ、ブラックの各色に対応させてレーザ発光部からのレーザ光が、ポリゴンミラーや反射鏡で反射されたり、レンズを通過したりした後に出射され、感光体ユニット７の感光体ドラム７１の表面上に高速走査にて照射される。
【００３０】
感光体ユニット７は、露光ユニット６の上方（現像器ユニット８とベルトユニット９との間）に配置され、前後方向に並列配置された４つの感光体ドラム７１と、各感光体ドラム７１に対応して設けられた帯電器７２とを主に備えている。
【００３１】
現像器ユニット８は、露光ユニット６と感光体ユニット７との間に配置され、各感光体ドラム７１に対応して設けられた４つの現像器８１を主に備えている。
【００３２】
各現像器８１は、感光体ドラム７１に対向して配置された現像ローラ８１Ａと、現像ローラ８１Ａにトナーを供給する供給ローラ８１Ｂと、トナーが収容されるトナー収容部８１Ｃと、トナー収容部８１Ｃ内に配置されたアジテータ８１Ｄとを主に備えている。各現像器８１では、トナー収容部８１Ｃ内のトナーが、回転駆動するアジテータ８１Ｄによって供給ローラ８１Ｂに供給され、さらに供給ローラ８１Ｂから現像ローラ８１Ａに供給されて、現像ローラ８１Ａ上に担持される。
【００３３】
ベルトユニット９は、感光体ユニット７の上方に配置され、中間転写ベルト９１、４つの１次転写ローラ９２、２次転写ローラ９３、駆動ローラ９４、従動ローラ９５、クリーニング部９６などを主に備えている。
【００３４】
中間転写ベルト９１は、無端状のベルトであり、前後に離間して平行に配置された駆動ローラ９４と従動ローラ９５との間に張設されている。この中間転写ベルト９１の外周面の下部には各感光体ドラム７１が対向して接し、外周面の後部には２次転写ローラ９３が対向して接している。
【００３５】
各１次転写ローラ９２は、中間転写ベルト９１の内周面に接し、各感光体ドラム７１との間で中間転写ベルト９１を挟持するように各感光体ドラム７１と対向して配置されている。２次転写ローラ９３は、中間転写ベルト９１を挟持するように駆動ローラ９４と対向して配置されている。１次転写ローラ９２および２次転写ローラ９３には転写時に転写バイアスが印加される。
【００３６】
クリーニング部９６は、中間転写ベルト９１の前寄り上方に配置され、中間転写ベルト９１上に残留したトナーを除去して貯留するように構成されている。
【００３７】
定着ユニット１０は、２次転写ローラ９３および駆動ローラ９４の上方に配置され、公知の構成を有する加熱ローラ１１と、加熱ローラ１１と対向配置されて加熱ローラ１１を押圧する加圧ローラ１２とを主に備えている。
【００３８】
以上のように構成される画像形成部５では、まず、各感光体ドラム７１の表面が、各帯電器７２により一様に帯電された後、露光ユニット６から照射されるレーザ光により露光される。これにより、露光された部分の電位が下がって、各感光体ドラム７１上に画像データに基づく静電潜像が形成される。
【００３９】
次いで、現像ローラ８１Ａと感光体ドラム７１とが対向して接触するときに、現像ローラ８１Ａ上に担持されたトナーが、感光体ドラム７１上に形成された静電潜像に供給される。これにより、感光体ドラム７１上でトナーが選択的に担持されて静電潜像が可視像化され、トナー像が形成される。
【００４０】
各感光体ドラム７１上に形成されたトナー像は、転写バイアスが印加された各１次転写ローラ９２の作用により中間転写ベルト９１上に順次重ね合わせて転写される。中間転写ベルト９１上に転写された各色のトナー像は、画像形成部５に供給された用紙Ｐが中間転写ベルト９１と２次転写ローラ９３の間を通過するときに、転写バイアスが印加された２次転写ローラ９３の作用により用紙Ｐ上に転写される。
【００４１】
トナー像が転写された用紙Ｐは、定着ユニット１０に搬送され、加熱ローラ１１と加圧ローラ１２との間を通過することでトナー像が熱定着される。トナー像が熱定着された用紙Ｐは、排紙ローラ２３によって本体ケース２内から空間Ｓに排出され、排紙トレイ２２上に蓄積される。
【００４２】
＜画像読取装置の構成＞
次に、画像読取装置３の詳細な構成について説明する。
図２に示すように、画像読取装置３は、フラットベッドスキャナ３Ａと自動原稿搬送装置３Ｂを主に有している。
【００４３】
フラットベッドスキャナ３Ａは、原稿台３１と、カバー３２と、支持体の一例としてのヒンジ１１０（図４参照）と、ガイド１２０（図４参照）と、位置決め部材の一例としての位置決めレバー２００（図６（ａ）参照）と、弾性部材の一例としてのねじりコイルばね２３０（図６（ａ）参照）を主に備えて構成されている。
【００４４】
原稿台３１は、読み取る原稿が載置される台であり、図５に示すように、読取部の一例としての第１プラテンガラス３１１および第２プラテンガラス３１２と、図示しないイメージセンサとを主に有している。
【００４５】
第１プラテンガラス３１１は、原稿が載置される面積の大きいガラス板であり、原稿台３１の上面に設けられている。第２プラテンガラス３１２は、自動原稿搬送装置３Ｂによって搬送される原稿が接触するガラス板である。第２プラテンガラス３１２は、左右の幅が小さく形成されており、第１プラテンガラス３１１の左側に設けられている。
【００４６】
イメージセンサは、原稿台３１の内部において、第１プラテンガラス３１１および第２プラテンガラス３１２の下面に沿って左右に移動可能に設けられている。このイメージセンサは、第１プラテンガラス３１１および第２プラテンガラス３１２を通して、原稿の画像を読み取るように構成されている。
【００４７】
カバー３２は、第１プラテンガラス３１１と第２プラテンガラス３１２の上方を覆うように（図２参照）、ヒンジ１１０を介して原稿台３１に対して開閉可能および上下動可能に設けられている。カバー３２は、原稿台３１と対向する下面に、押圧板３２１を有している。押圧板３２１は、第１プラテンガラス３１１上に載置された原稿を第１プラテンガラス３１１に向けて押圧する部材であり、画像読取中に原稿がずれてしまうのを防止している。
【００４８】
そして、カバー３２は、図２に示すように、左側に、自動原稿搬送装置３Ｂを備えている。自動原稿搬送装置３Ｂは、載置トレイ３３１と、排出トレイ３３２と、原稿搬送部３３３とを主に備えている。
【００４９】
載置トレイ３３１は、図２，３に示すように、原稿搬送部３３３の右側上部に回動可能に設けられている。この載置トレイ３３１は、図３に示すような開いた状態において、上面に原稿が載置できるようになっている。
【００５０】
排出トレイ３３２は、カバー３２の上面に形成されており、読み取りが終了した原稿が載置されるようになっている。
【００５１】
原稿搬送部３３３は、内部に図示しない搬送経路が形成されており、原稿を載置トレイ３３１から排出トレイ３３２に搬送するようになっている。そして、原稿搬送部３３３は、原稿が、載置トレイ３３１から排出トレイ３３２に搬送される途中で、第２プラテンガラス３１２の上面に接触するように構成されている。
【００５２】
図６（ａ）に示すように、ヒンジ１１０は、ヒンジ部１１１と、ヒンジ部１１１の下方に設けられる支持部１１２とを有している。ヒンジ部１１１は、カバー３２の後端（一側端）を回動可能に支持している。支持部１１２は、ヒンジ部１１１の下端から下側へ延びており、ブロック状に形成されている。また、支持部１１２の上端には、前後に向かって突出するフランジ部１１３が形成されている。
【００５３】
ガイド１２０は、図４に示すように、原稿台３１の後端の左右２箇所に設けられており、後述するヒンジ１１０を上下動可能に保持するように構成されている。
【００５４】
具体的に、ガイド１２０は、図６（ａ）に示すように、上下方向に延び、前後方向で対向する一対の側壁の一例としての前壁１２１と後壁１２２を有したボックス状に形成されている。
【００５５】
前壁（一対の側壁の他方）１２１は、２本（複数）のリブ１２３と（図７も参照）、アーム収容部１２４を有している。
【００５６】
リブ１２３は、前壁１２１の後側の面から後方へ向かって突出しており、上下に延びて形成されている。リブ１２３は、リブ１２３の先端１２３Ａと後壁１２２の間隔が、後述するヒンジ１１０の支持部１１２の前後の幅よりやや大きめになるように設定されている。これにより、ヒンジ１１０は、リブ１２３に案内されて、ガイド１２０内をスムーズに上下動できるようになっている。
【００５７】
アーム収容部１２４は、位置決めレバー２００を収容する空間であり、２本のリブ１２３の間において前壁１２１が前方へ凹むことで形成されている。
【００５８】
このように構成されたガイド１２０に対し、ヒンジ１１０は、支持部１１２がガイド１２０の前壁１２１と後壁１２２に挟まれるようにして保持されている。ヒンジ１１０は、ガイド１２０内で上下動可能となっており、図６（ｂ）に示すように、フランジ部１１３がガイド１２０の上端縁に係合することで、下方への移動が規制されるようになっている。
【００５９】
位置決めレバー２００は、図６（ａ）に示すように、ヒンジ１１０をガイド１２０に対して位置決めする部材である。位置決めレバー２００は、第１アーム２１０と第２アーム２２０を有した側面視略Ｌ字状に形成されている。そして、位置決めレバー２００は、ガイド１２０のアーム収容部１２４に揺動可能に支持されている。
【００６０】
第１アーム２１０は、位置決めレバー２００の揺動軸（揺動中心）２０１から後方に向けて延びるように形成されている。この第１アーム２１０の先端は、リブ１２３の先端１２３Ａよりも後方まで延び、ヒンジ１１０の下に配置されている。そして、第１アーム２１０の先端には、ヒンジ１１０に向けて突出する第１当接部２１１が形成されている。
【００６１】
第２アーム２２０は、位置決めレバー２００の揺動軸２０１から上方へ向けて延びるように形成されている。第２アーム２２０は、先端に、後方へ向けて突出する第２当接部２２１を有している。第２当接部２２１は、第１アーム２１０がヒンジ１１０の支持部１１２の下面と当接していないときには、ガイド１２０のリブ１２３の先端１２３Ａよりも前壁１２１側に退避した退避位置に位置している。これにより、ヒンジ１１０がガイド１２０内を上下動する際に、ヒンジ１１０が第１アーム２１０に当接していないときには、第２アーム２２０がヒンジ１１０に当接しないようになっている。
【００６２】
ねじりコイルばね２３０は、弾性部材の一例であり、位置決めレバー２００の揺動軸２０１に支持されている。このねじりコイルばね２３０は、位置決めレバー２００を図示反時計回りに付勢することで、第１アーム２１０を上方へ向けて付勢し、第２アームを前方へ向けて付勢している。つまり、ねじりコイルばね２３０は、第２アーム２２０を退避位置に向けて付勢するように位置決めレバー２００を付勢している。
【００６３】
次に、以上のように構成された本発明の画像読取装置３の作用および効果について説明する。
薄い原稿を第１プラテンガラス３１１上に載置して画像を読み取ろうとする場合、ユーザは、カバー３２を上に開き、原稿を第１プラテンガラス３１１上に載置した後、カバー３２を閉じる。このとき、原稿が薄いため、ヒンジ１１０は、図６（ｂ）に示すように、ガイド１２０内の下側に位置したままである。このように、ヒンジ１１０がガイド１２０内の下側に位置しているとき、第１アーム２１０は、ヒンジ１１０によって下方へ押され、第２アーム２２０の第２当接部２２１は、リブ１２３の先端１２３Ａよりも後方へ突出していて、ヒンジ１１０の支持部１１２をガイド１２０の後壁（一対の側壁の一方）１２２に押し付けている。これにより、ユーザの操作中にヒンジ１１０ががたつかないので、ユーザがカバー３２をスムーズに操作することができる。
【００６４】
そして、本などの厚みのある原稿を第１プラテンガラス３１１上に載置して、カバー３２を閉じると、カバー３２とともにヒンジ１１０が上方へ移動する。このとき、ヒンジ１１０がガイド１２０内を下側から上側に向かって移動するのに伴い、ヒンジ１１０の支持部１１２が第１アーム２１０から離れるので、ねじりコイルばね２３０の付勢力により、位置決めレバー２００が図示反時計回りに揺動する。これにより、第２アーム２２０がヒンジ１１０の支持部１１２から離れる。そのため、ヒンジ１１０の上下動に際して抵抗がなく、ユーザがカバー３２をスムーズに操作することができる。
【００６５】
また、本実施形態においては、ねじりコイルばね２３０の付勢力により、第１アーム２１０がヒンジ１１０を押し上げるので、軽い力でヒンジ１１０を上方へ移動させることができる。
【００６６】
図６（ａ）に示すように、ヒンジ１１０がガイド１２０内の上側に位置しているとき、位置決めレバー２００の第２アーム２２０は、退避位置に位置しているので、ヒンジ１１０がガイド１２０内を上側から下側に向かって移動するのを、第２アーム２２０が邪魔することがない。
【００６７】
そして、厚みのある原稿を第１プラテンガラス３１１上からはずし、カバー３２を閉じるとき、ヒンジ１１０は、ガイド１２０内を上側から下側に向かって移動する。
【００６８】
このとき、第２アーム２２０は退避位置に位置しているので、ヒンジ１１０の上下動を案内するリブ１２３が確実に機能することができる。
【００６９】
そして、ヒンジ１１０が、ガイド１２０内を上側から下側へ移動していくと、図６（ｂ）に示すように、ヒンジ１１０の下面が位置決めレバー２００の第１当接部２１１に当接する。この当接により、第１アーム２１０は、下方へ向けて揺動する。そして、第１アーム２１０と第２アーム２２０は、位置決めレバー２００として一体に形成されているので、第１アーム２１０の揺動に連動して第２アーム２２０が後方へ向けて揺動する。ヒンジ１１０がさらに下がると、図７に示すように、第２アーム２２０の第２当接部２２１は、リブ１２３の先端１２３Ａよりも後方へ突出して、ヒンジ１１０の支持部１１２を後方に向けて押圧する。これにより、ヒンジ１１０の支持部１１２がガイド１２０の後壁１２２に押し付けられ、ヒンジ１１０がガイド１２０に対して位置決めされる。
【００７０】
このようにして、位置決めレバー２００によってヒンジ１１０がガイド１２０に対して位置決めされることで、ヒンジ１１０に支持されているカバー３２が原稿台３１に対して位置決めされる。これにより、カバー３２に設けられている自動原稿搬送装置３Ｂで原稿を搬送して画像を読み取る際に、第２プラテンガラス３１２と自動原稿搬送装置３Ｂとのずれを低減することができる。
【００７１】
そして、前述したようなヒンジ１１０がガイド１２０内を上下動する構成において、コイルばね２３０は、第２アーム２２０を退避位置に向けて付勢するように位置決めレバー２００を付勢しているので、ヒンジ１１０がガイド１２０内を上下動しているときに、第２アーム２２０を確実に退避位置に退避させておくことができる。
【００７２】
また、前壁１２１に形成されているリブ１２３は、上下に延びて形成されているので、ヒンジ１１０を上下動させたときに、支持部１１２がリブ１２３に引っ掛からないので、ヒンジ１１０をスムーズに動かすことができる。
【００７３】
そして、位置決めレバー２００は、ガイド１２０に備えられているので、位置決めレバー２００をヒンジ１１０が備える構成に比べて、構成が簡単になっている。
【００７４】
以上、本発明の実施形態について説明したが、本発明は前記実施形態に限定されるものではない。具体的な構成については、本発明の趣旨を逸脱しない範囲で適宜変更が可能である。
【００７５】
前記実施形態では、位置決めレバー２００は、ガイド１２０に設けられていたが、本発明はこれに限定されるものではない。例えば、位置決めレバーは、ヒンジ１１０に設けられていてもよい。
【００７６】
具体的に、このような形態の一例を説明すると、図８に示すように、位置決めレバー２４０は、棒状の部材であり、ヒンジ１１０の支持部１１２の下部に揺動可能に支持されている。
【００７７】
位置決めレバー２４０は、揺動中心２４１から後斜め下へ延びる第１アーム２４２と、揺動中心２４１から前斜め上へ延びる第２アーム２４３を有している。この位置決めレバー２４０は、自重により、常に第１アーム２４２の先端を下に、第２アーム２４３の先端を上に向けた姿勢になる重量配分とされている。
【００７８】
また、位置決めレバー２４０は、ヒンジ１１０に設けられているストッパ１１５が第１アーム２４２に当接することで、ガイド１２０の前壁１２１側に傾いた状態（二点鎖線参照）で保持されている。
【００７９】
そして、第１アーム２４２は、ヒンジ１１０がガイド１２０内を上側から下側へ移動したときに、先端がガイド１２０の底と当接する程度の長さを有している。第２アーム２４３は、前方へ揺動したときに、前壁１２１に当接する程度の長さを有している。
【００８０】
このように構成された位置決めレバー２４０は、ヒンジ１１０がガイド１２０内を上方から下方へ移動したときに、第１アーム２４２がガイド１２０の底に当接して上方へ向けて揺動する。そして、第１アーム２４２の揺動に連動して、第２アーム２４３が前方へ向かって揺動し、先端がガイド１２０の前壁１２１を押圧する。これにより、ヒンジ１１０が後方へ移動してガイド１２０の後壁１２２に押し付けられて、ヒンジ１１０がガイド１２０に対して位置決めされる。
【００８１】
そして、位置決めレバー２４０は、ヒンジ１１０がガイド１２０内を下側から上側へ移動すると、自重によって揺動し、第２アーム２４３がガイド１２０から離間する。
【００８２】
前記実施形態では、ガイド１２０が前壁１２１と後壁１２２を有したボックス状に形成されていたが、本発明はこれに限定されるものではない。例えば、ガイド１２０は、円筒状に形成されていてもよい。
【００８３】
また、前記実施形態では、位置決めレバー２００は、第２アーム２２０が支持部１１２を押圧することで、ヒンジ１１０をガイド１２０の後壁１２２へ押し付けるように構成されていたが、本発明はこれに限定されるものではない。例えば、位置決めレバー２００は、第２アームが支持部１１２を押圧することで、ヒンジ１１０をガイド１２０の前壁１２１、または、円筒状のガイドの内壁の一部に押し付けるように構成されていてもよい。
【００８４】
そして、前記実施形態では、位置決めレバー２００は、前壁１２１に形成された前壁１２１よりも凹んだ位置にあるアーム収容部１２４において支持されていたが、本発明はこれに限定されるものではない。例えば、図９に示すように、位置決めアーム２５０は、前壁１２１と後壁１２２の間で支持されていてもよい。この位置決めアーム２５０は、前壁１２１よりも後方でガイド１２０に支持されている揺動軸２５１と、揺動軸２５１から後斜め下方へ延出する第１アーム２５２と、揺動軸２５１から後斜め上方へ延出する第２アーム２５３とを有し、側面視略Ｌ字状に形成されている。
【００８５】
より詳細に、第２アーム２５３は、第１アーム２５２にヒンジ１１０が当接していない状態において、第１アーム２５２よりも前壁１２１側に位置しており、上下動するヒンジ１１０と接触しないようになっている（二点鎖線参照）。そして、ヒンジ１１０がガイド１２０内を上側から下側へ移動したときに、第１アーム２５２がヒンジ１１０と当接して下方へ向けて揺動すると、第２アーム２５３が後方へ向けて揺動し、ヒンジ１１０をガイド１２０の後壁１２２へ押し付けるようになっている。
【００８６】
前記実施形態では、画像形成装置として、カラー複合機１を例示したが、本発明はこれに限定されず、例えば、複写機などであってもよい。
【符号の説明】
【００８７】
１      カラー複合機
３      画像読取装置
３Ａ    フラットベッドスキャナ
３Ｂ    自動原稿搬送装置
３１    原稿台
３２    カバー
１１０  ヒンジ
１２０  ガイド
１２１  前壁
１２２  後壁
１２３  リブ
２００  位置決めレバー
２０１  揺動軸
２１０  第１アーム
２２０  第２アーム
３１１  第１プラテンガラス
３１２  第２プラテンガラス
【図１】
0005790324.tif 000002
【図２】
0005790324.tif 000003
【図３】
0005790324.tif 000004
【図４】
0005790324.tif 000005
【図５】
0005790324.tif 000006
【図６】
0005790324.tif 000007
【図７】
0005790324.tif 000008
【図８】
0005790324.tif 000009
【図９】
0005790324.tif 000010